(57)【要約】【課題】  迅速かつ簡単に、さらに安全かつ確実に荷物巻付け等の作業をできる巻取り装置付きバンドを提供することにある。【解決手段】バンド１０と、バンド１０を引き出し，引き込み自在に収納する巻取り装置２０とを備えた巻取り装置付きバンドであって、巻取り装置２０は、バンド１０に常時引き込み方向にテンションを付与するオートリターン機構３０と、バンド１０の引き込みは可能で引き出しを阻止する動作状態と、バンドの引き込み及び引き出しを自由とするフリー状態と、を切り替え可能とする第１切替操作機構４０と、バンド１０の引き込みを阻止し引き出しを可能とする動作状態と、バンドの引き出し及び引き込みを自由とするフリー状態と、を切り替え可能とする第２切替操作機構５０と、を備えたことを特徴とする。【選択図】    図１
2009035328.tif 000002
【特許請求の範囲】
【請求項１】
バンドと、該バンドを引き出し，引き込み自在に収納する巻取り装置とを備えた巻取り装置付きバンドであって、
前記巻取り装置は、
バンドに常時引き込み方向にテンションを付与するオートリターン機構と、
バンドの引き込みは可能で引き出しを阻止する動作状態と、バンドの引き込み及び引き出しを自由とするフリー状態と、を切り替え可能とする第１切替操作機構と、
バンドの引き込みを阻止し引き出しを可能とする動作状態と、バンドの引き出し及び引き込みを自由とするフリー状態と、を切り替え可能とする第２切替操作機構と、を備えたことを特徴とする巻取り装置付きバンド。
【請求項２】
バンドと、該バンドを引き出し，引き込み自在に収納する巻取り装置とを備えた巻取り装置付きバンドであって、
前記巻取り装置は、
バンドに常時引き込み方向にテンションを付与するオートリターン機構と、
バンドの引き出し及び引き込みを自由とするフリー状態と、バンドの引き込みは可能で引き出しを阻止する動作状態とを切り替え可能とする第１切替操作機構と、を備えたことを特徴とする巻取り装置付きバンド。
【請求項３】
オートリターン機構は、バンドの一端が固定され巻取り装置本体に回転自在に支持されたバンド軸と、
該バンド軸に対してバンドを常時引き込む方向にテンションを加えるテンション付与手段と、を備えている請求項１又は２に記載の巻取り装置付きバンド。
【請求項４】
バンド軸は異形断面形状の中空軸で、
テンション付与手段は、前記バンド軸の中空内部に挿入されるシャフトと、該シャフトに装着されるスプリングとを備え、
前記スプリングの一端をシャフトに取り付けられる移動カラーに固定すると共に、前記スプリングの他端をシャフトに固定し、
前記移動カラーは、シャフトに対しては相対回転可能でかつ軸方向に相対移動自在とし、中空のバンド軸内周に対しては相対回転不能でかつ軸方向に相対移動自在とし、
前記シャフトの端部を装置本体に対して相対回転不能に係合したことを特徴とする請求項３に記載の巻取り装置付きバンド。
【請求項５】
第１切替操作機構は、バンドの端末が固定されるバンド軸に連結されるラチェットと、装置本体に揺動自在に支持され前記ラチェットに係合，離脱可能な爪を備えた操作レバーと、を備えた構成となっている請求項１又は２に記載の巻取り装置付きバンド。
【請求項６】
第２切替操作機構は、バンドの端末が固定されるバンド軸に連結されるラチェットと、装置本体に揺動自在に支持され前記ラチェットに係合，離脱可能な爪を備えた操作レバーと、を備えた構成となっている請求項１に記載の巻取り装置付きバンド。
【請求項７】
引き出したバンドの先端部を引っ掛けて折り返し可能とする折り返し部材を備え、一方、前記バンドには、折り返した部分が重なる部分を着脱自在に固定することを可能とする固定手段が設けられていることを特徴とする請求項１乃至６のいずれかの項に記載の巻取り装置付きバンド。
【発明の詳細な説明】
【技術分野】
【０００１】
本発明は、たとえば、パレットに積載される荷物を束ねて荷崩れを防止するバンドに関し、特に巻取り装置を備えた巻取り装置付きバンドに関する。
【背景技術】
【０００２】
現在、各種荷物の輸送は、倉庫で荷物を荷役用のパレットに積み上げ、積み上げた荷物の外周にラップフィルムを巻き付けて束ね、束ねた状態でトラックに積載して送り先まで運搬するようになっている。
しかし、巻付けたラップフィルムを剥がす作業に手間がかかる。また、使用するラップフィルムの量が膨大で、しかも大部分がリサイクルに回らずに廃棄されている現状であり、資源の浪費につながると共に、廃棄されるラップフィルムによる周辺環境に対する負荷も大きいという問題があった。
そこで、本出願人等は、何回も使い回しできるバンドを用い、従来のフィルムと同様に簡単に荷物を束ねることができる荷物結束方法の開発を進めてきた。
なお、従来のラップフィルムを用いた荷物の結束方法としてはたとえば、特許文献１に記載のようなものがある。
【特許文献１】特開平５−８５５０４号
【発明の開示】
【発明が解決しようとする課題】
【０００３】
本発明は、繰り返し使用できるバンドを用いた荷物結束方法の開発の一環としてなされたもので、その目的とするところは、人手によって、迅速かつ簡単に、さらに安全かつ確実に荷物を結束できる巻取り装置付きバンドを提供することにある。
【課題を解決するための手段】
【０００４】
上記目的を達成するために、請求項１に係る発明は、バンドと、該バンドを引き出し，引き込み自在に収納する巻取り装置とを備えた巻取り装置付きバンドであって、
前記巻取り装置は、バンドに常時引き込み方向にテンションを付与するオートリターン機構と、バンドの引き込みは可能で引き出しを阻止する動作状態と、バンドの引き込み及び引き出しを自由とするフリー状態と、を切り替え可能とする第１切替操作機構と、バンドの引き込みを阻止し引き出しを可能とする動作状態と、バンドの引き出し及び引き込みを自由とするフリー状態と、を切り替え可能とする第２切替操作機構と、を備えたことを特徴とする。
【０００５】
請求項２に係る発明は、バンドと、該バンドを引き出し，引き込み自在に収納する巻取り装置とを備えた巻取り装置付きバンドであって、
前記巻取り装置は、バンドに常時引き込み方向にテンションを付与するオートリターン機構と、バンドの引き出し及び引き込みを自由とするフリー状態と、バンドの引き込みは可能で引き出しを阻止する動作状態とを切り替え可能とする第１切替操作機構と、を備えたことを特徴とする。
【０００６】
請求項３に係る発明は、オートリターン機構は、バンドの一端が固定され巻取り装置本体に回転自在に支持されたバンド軸と、
該バンド軸に対してバンドを常時引き込む方向にテンションを加えるテンション付与手段と、を備えていることを特徴とする。
請求項４に係る発明は、バンド軸は異形断面形状の中空軸で、テンション付与手段は、前記バンド軸の中空内部に挿入されるシャフトと、該シャフトに装着されるスプリングとを備え、前記スプリングの一端をシャフトに取り付けられる移動カラーに固定すると共に、前記スプリングの他端をシャフトに固定し、前記移動カラーは、シャフトに対しては相対回転可能でかつ軸方向に相対移動自在とし、中空のバンド軸内周に対しては相対回転不能でかつ軸方向に相対移動自在とし、前記シャフトの端部を装置本体に対して相対回転不能に係合したことを特徴とする。
【０００７】
請求項５に係る発明は、第１切替操作機構は、バンドの端末が固定されるバンド軸に連結されるラチェットと、装置本体に揺動自在に支持され前記ラチェットに係合，離脱可能な爪を備えた操作レバーと、を備えた構成となっていることを特徴とする。
請求項６に係る発明は、第２切替操作機構は、バンドの端末が固定されるバンド軸に連結されるラチェットと、装置本体に揺動自在に支持され前記ラチェットに係合，離脱可能な爪を備えた操作レバーと、を備えた構成となっていることを特徴とする。
請求項７に記載の発明は、引き出したバンドの先端部を引っ掛けて折り返し可能とする折り返し部材を備え、一方、前記バンドには、折り返した部分が重なる部分を着脱自在に固定することを可能とする固定手段が設けられていることを特徴とする。
【発明の効果】
【０００８】
本請求項１に記載の巻取り装置付きバンドによれば、第１，第２切替操作機構の組み合わせによって、一つの巻取り装置でありながら、バンドを引き出し，引き込み共にロックする動作モードと、バンドを引き出し可能で、引き込み不能とする動作モードと、バンドを引き出し不能で、引き込み可能とする動作モードと、ハンドを引き出し，引き込み共に可能とする動作モードの４つの動作モードを選択することができる。
たとえば、バンドを巻取り装置から引き出す際には、第１切替操作機構及び第２切替操作機構をフリー状態として所定長さだけ引き出す。このとき、第２切替操作機構について動作状態に切り替えておけば、オートリターンの付勢力が作用していても、引き出した状態を維持しつつ引き出すことができるので、引き出し作業が容易である。
荷物に巻き掛けて適宜固定した後は、第１切替操作手段を切り替えて引き出し操作をロックすれば、バンドの緩みを防止できる。
巻き掛けたバンドを外す際には、第１切替機構を操作してフリー状態とし、バンドを荷物から外し、オートリターン機構によってバンドを装置本体内に引き込む。このとき、第１切替操作機構について動作状態に切り替えておけば、不用意に引き出されることを防止することができる。
このように、荷役装置の一部として手軽，簡単に使用でき、作業効率の向上を図ることができる。
【０００９】
請求項２に記載の発明のように、第１切替操作機構だけでも、荷物の荷崩れ防止用として用いることができる。
バンドを巻取り装置から引き出す際には、第１切替操作機構をフリー状態として所定長さだけ引き出し、荷物に巻き掛けたて適宜固定した後、動作モードに切替えればバンドは緩まない。
巻き掛けたバンドを外す際には、第１切替機構を操作してフリー状態とし、バンドを荷物から外し、オートリターン機構によってバンドを装置本体内に引き込む。
【００１０】
請求項３に記載の発明によれば、使用後は、テンション付与手段の付勢力によって自動的に引き込まれるので、作業効率が高い。
請求項４に記載の発明によれば、テンション付与手段として、スプリングの一端が固定される移動カラーがシャフトに対して軸方向に移動する構成となっているので、バンドの引き出し量の変化によってスプリングのねじり量が変動しても、移動カラーの移動によってスプリングがスムーズに伸縮変形し、バンドの引き出し，引き込みをスムーズに行うことができる。
請求項５及び６に記載の発明によれば、ラチェットと操作レバーの組み合わせによる簡単な構成で、動作モードの切替操作を行うことができ、装置構成を簡素化できる。
請求項７に記載の発明によれば、荷物に巻き付けて締め付ける際には、第１切替操作機構及び第２切替操作機構の両方を動作状態に切替え、バンド先端部を折り返し部材に引っ掛けて折り返し、所定の締付け力で締め付け固定できる。したがって、バンドの全長内であれば、任意の周長の品物を固定できる。
【発明を実施するための最良の形態】
【００１１】
以下に本発明を図示の実施例に基づいて詳細に説明する。
図２乃至図４は本発明の実施例１に係る巻取り装置付きバンドを示すものである。１は巻取り装置付きバンド全体を示すもので、この巻取り装置付きバンド１は、バンド１０と、このバンド１０を引き出し，引き込み自在に収納する巻取り装置２０とを備えた構成となっている。
巻取り装置２０は、バンド１０に常時引き込み方向にテンションを付与するオートリターン機構３０と、バンド１０の引き込みは可能で引き出しを阻止する動作状態と、バンドの引き出し及び引き込みを自由とするフリー状態と、を切り替え可能とする第１切替操作機構４０と、バンド１０の引き込みを阻止し引き出しを可能とする第２動作状態と、バンドの引き出し及び引き込みを自由とするフリー状態と、を切り替え可能とする第２切替操作機構５０と、引き出したバンド１０の先端部を引っ掛けて折り返し可能とする折り返し部材６０とを備えている。
【００１２】
バンド１０は、図５に示すように、一端がオートリターン機構３０のバンド軸３１に固定され、他端が折り返し部材６０にて折り返すことにより締め付ける構成で、バンド１０の折り返し部分を荷物等に巻き付いたバンド部分に着脱自在に固定する固定手段としての面状ファスナ１１が設けられている。
このバンド１０は、繰り返し使用可能な可撓性の長尺帯であって、曲げ変形自在のバンド１０の長手方向の一端は、オートリターン機構３０のバンド軸３１に固定され、他端にはつなぎ部材１２を介して先端プレート１３が連結されており、この先端プレート１３を折り返し部材６０をくぐらせることによって折り返し、バンド１０を締め付けるようになっている。
【００１３】
面状ファス１１は互いに着脱自在に接着される接着側テープ１１１と被接着側テープ１１２によって構成される。この実施例の説明では、折り返される側に設けられるテープを接着側テープ１１１とし、折り返し部が重ねられる部分に設けられるテープを被接着側テープ１１２というものとする。
これら接着側テープ１１１及び被接着側テープ１１２はバンド本体１４に縫いつけ等によって固定され、巻付け時にバンド本体１４に作用する張力は、面状ファスナ１１の被接着側テープ１１２を起点にして作用することになる。
【００１４】
バンド本体１４は、ナイロン，ポリエステル等の高強度繊維の織布で構成される長尺の平バンドで、全長に亘って一定の幅に成形されている。バンド本体１４は、長手方向に若干の伸縮はするものの、基本的には伸縮性は無い。しかし、曲げ方向に対しては自由に変形し、荷物の形状に倣って巻付け可能である。
【００１５】
バンド本体１４のバンド軸３１に固定される固定端部１５は、たとえばポリプロピレン等の複数の樹脂バンド１６が取り付けられ、この樹脂バンド１６を介してバンド軸３１に固定されている。樹脂バンド１６はバンド軸３１の外周形状に合わせて四角形状に折曲された軸嵌合部１６１と、バンド本体１４に固定される取付片部１６２とから構成されている。樹脂バンド１６の数は任意であるが、この例では３箇所に設けられている。軸嵌合部１６１がバンド軸３１に合致した四角形状なので、バンド軸３１の空転を防止できる。また、バンド軸３１の空転を防止するために、ネジなどによってバンド軸３１に固定される押さえ板１７によって軸嵌合部１６１が押さえられている。
また、バンド本体１４の固定端部１５は、端末が折り返されると共に、折り返された頂点部に、ポリプロピレン等の樹脂片等からなる芯材１５１が包み込まれて縫いつけられている。また、この布地が二重に補強された折り返し部１５２に樹脂バンド１６の取付片部１６２が縫い付け固定されている。芯材１５１は、ポリプロピレン等の樹脂バンド１６の他に、ポリアセタール等の硬質の樹脂材、あるいはアルミ材等の高剛性の部材によって構成してもよい。
【００１６】
先端プレート１３は、ポリアセタール等の硬質の樹脂材、あるいはアルミ材等の高剛性の部材によって構成される。高剛性の部材であれば棒状部材でもよいが、この実施例では、つなぎ部材１２が挿通される２箇所の長穴を持つ平板状のプレートで、折り返し部材６０と左右の端板及びバンド軸３１に巻き付けられたバンド本体１４の外周との間の空間をくぐり抜けることができる長さ，幅に設定されている。
このつなぎ部材１２も固定端部１５と同様のポリプロピレン等の樹脂バンドによって構成されるもので、二つ折りにして先端プレート１３の長穴に通し、端末をバンド本体１４の先端部を挟むようにして縫いつけ固定される。このバンド本体１４の先端部１９も折り返され、折り返された頂点部分に部分にバンド１０の長さ方向に対して直交方向に芯材１９１が包み込まれるようにして縫いつけられている。また、この布地が二重に補強された折り返し部１９２に、つなぎ部材１２の端末部が縫い付け固定されている。芯材１９１は、ポリアセタール等の硬質の樹脂材、あるいはアルミ材等の高剛性の部材によって構成される。
【００１７】
面状ファスナ１１を構成する接着側テープ１１１は、バンド本体１４の先端から所定長さの、つなぎ部材１２の間の第１領域に取り付けられるテープ１１１ａと、この第１領域に続く所定長さ分の第２領域に取り付けられるテープ１１１ｂとを備えている。第２領域のテープ１１１ｂは、バンド本体１４の長さ方向に対して直交方向、すなわちバンド本体１４の幅方向全巾にわたって延びている。
被接着側テープ１１２は、第２領域に続く第３領域に取り付けられる。被接着側テープ１１２は、バンド本体１４の長手方向と平行に３列のテープ１１２ａ，１１２ｂ，１１２ｃが所定間隔を隔てて取り付けられている。この３本の被接着側テープ１１２ａ，１１２ｂ，１１２ｃの長さは、折り返し部材６０から折り返されたバンドの接着に必要な長さに設定される。各被接着側テープ１１２の間には隙間ｇを必ず作る。本数が多い場合には、テープ幅を狭くして対応する。このように、全体として、先端プレート１３側の領域は、作業中の変形，ズレなどが無いような強い構造として作業効率を上げている。
図５の例は、先端プレート１３の長さ（バンド本体の幅方向の長さ）が、バンド本体の幅よりも短く設定されている。
【００１８】
オートリターン機構３０は、装置本体２１に回転自在に支持されたバンド軸３１と、バンド軸３１に対してバンド１０を常時引き込む方向にテンションを加えるテンション付与機構３２と、を備えている。
装置本体２１は、左右一対のエンドプレート２２Ａ，２２Ｂと、エンドプレート２２Ａ，２２Ｂ間を連結するメインシャフト２３と、ガイド板２４と、折り返し部材としての折り返しバー６０と、から構成されている。
エンドプレート２２Ａ，２２Ｂは略矩形状の平板で、中心にメインシャフト２３の端部がネジ止めされ、このメインシャフト２３を挟んで長手方向一端側にガイド板２４の端部が２点でネジ止めされ、さらに長手方向他端側に折り返しバー６０の端部がネジ止めされ、合計５点で固定されている。
【００１９】
バンド軸３１は内周が異形断面形状の中空パイプで、その両端開口部に第１パイプホルダ３３と第２パイプホルダ３４が固定されている。この実施例ではバンド軸３１は四角筒形状であるが、四角形状には限定されず、内周側からトルクが伝達できるような形状であればよい。
バンド軸３１の第１，第２パイプホルダ３３，３４にはメインシャフト２３が回転摺動自在に挿通されるメインシャフト２３穴が設けられ、第１，第２パイプホルダ３３，３４を介して、バンド軸３１がメインシャフト２３に回転自在に支持されている。メインシャフト２３には第１パイプホルダ３３及び第２パイプホルダ３４に対して軸方向に摺動自在に接触してバンド軸３１の軸方向の位置決めをするシャフトホルダ３５が固定されている。  
【００２０】
テンション付与機構３２は、図２（Ａ）に示すように、メインシャフト２３と、メインシャフト２３に装着されるコイルスプリング３６とを備えた構成で、コイルスプリング３６のねじり方向の弾発力を利用するようになっている。
コイルスプリング３６の一端はメインシャフト２３に取り付けられる移動スプリングホルダ３７に固定すると共に、コイルスプリング３６の他端は固定スプリングホルダ３８を介してメインシャフト２３に固定されている。移動スプリングホルダ３７は、メインシャフト２３に対しては相対回転可能でかつ軸方向に相対移動自在となっており、中空のバンド軸内周に対しては相対回転不能でかつ軸方向に相対移動自在となっている。
この例では、コイルスプリング３６をバンド巻取り方向と反対側に所定量ねじった状態でメインシャフト２３の端部を装置本体２１に対して係合し、巻取り方向のテンションを付与している。
コイルスプリング３６は、バンド１０が引き出されてねじり量が大きくなると軸方向に伸び、バンド１０が引き込まれてねじり量が小さくなると軸方向に収縮する。このバンド１０の引き出し量に応じたコイルスプリング３６の伸縮を、移動スプリングホルダ３７の移動によって吸収している。
【００２１】
移動スプリングホルダ３７はコイルスプリング３６の第２端部が嵌着されるスプリング嵌着部３７１と、バンド軸３１内周の隅角部に係合して相対回転を規制する回り止め部３７２とを備えている。回り止め部３７２は、断面四角形状のバンド軸３１に合わせて、その隅角部を係合する係合部を備え、隅角部以外は接触しないように凹部となっている。また、コイルスプリング３６の他端は、固定スプリングホルダ３８を介してメインシャフト２３に対して回転方向にも軸方向にも移動不能に固定される。固定スプリングホルダ３８はボルトによってメインシャフト２３に固定される。
コイルスプリング３６の一端はメインシャフト２３に固定され、コイルスプリング３６の他端がバンド軸３１に固定されるので、バンド１０を引き出すと、コイルスプリング３６がねじれ、逆方向（引き込み方向）のテンションが加わり、バンド１０を開放すると、コイルスプリング３６が元に戻ろうとし、バンド３１を引き込む。
【００２２】
第１切替操作機構４０は、バンド１０の端末が固定されるバンド軸３１に連結されるラチェット４１と、装置本体３１のエンドプレート２２Ａに揺動自在に支持され前記ラチェット４１に係合，離脱可能な爪４２ａを備えた操作レバー４２と、を備えた構成となっている。ラチェット４１と操作レバー４２は、第１エンドプレート２２Ａの内側面に配置されている。
操作レバー４２の自由端部にはつまみ部４３が突出しており、このつまみ部４３が、円弧状の長穴４７から外側に突出しており、このつまみ部４３を摘んで操作レバー４２を操作するようになっている。
【００２３】
操作レバー４２は、一端が第１エンドプレート２２Ａに設けられた枢支部４４に所定角度分だけ揺動自在に支持され、ラチェット４１に係合するロック位置とラチェット４１から離脱するロック開放位置間を移動する構成となっている。そして、操作レバー４２には、ロック位置とロック開放位置間に思案点を有するように、操作レバー４２に付勢力を加えるスプリング３５が装着されている。このスプリング４５は、その一端が操作レバー４２のつまみ部４３に引っ掛けられ、他端が第１エンドプレート２２Ａに設けられたばね受け４６に引っ掛けられている。思案点は枢支部４４とスプリング３５のばね受け４６を結ぶ線上に位置する。
【００２４】
第２切替操作機構５０は、バンドの端末が固定されるバンド軸３１に連結されるラチェット５１と、装置本体２１の第２エンドプレート２２Ｂに揺動自在に支持され前記ラチェット５１に係合，離脱可能な爪５２ａを備えた操作レバー５２と、を備えた構成となっている。ラチェット５１と操作レバー５２は、第２エンドプレート２２Ｂの内側面に配置さ
れている。ラチェット５１の刃の方向は、第１切替操作機構４０と反対方向である。
操作レバー５２の自由端部にはつまみ部５３が突出しており、このつまみ部５３が、円弧状の長穴５７から外側に突出しており、このつまみ部５３を摘んで操作レバー５２を操作するようになっている。
【００２５】
操作レバー５２は、一端が第２エンドプレート２２Ｂに設けられた枢支部５４に所定角度分だけ揺動自在に支持され、ラチェット５１に係合するロック位置とラチェット５１から離脱するロック開放位置間を移動する構成となっている。そして、操作レバー５２には、ロック位置とロック開放位置間に思案点を有するように、操作レバー５２に付勢力を加えるスプリング５５が装着されている。このスプリング５５は、その一端が操作レバー５２に設けられたつまみ部５３に引っ掛けられ、他端が第２エンドプレート２２Ｂに設けられたばね受け５６に引っ掛けられている。思案点は枢支部５４とスプリング３５のばね受け５６を結ぶ線上に位置する。
【００２６】
一方、折り返しバー６０は、図２（Ａ）に示すように、高剛性部Ｈを構成する面状ファスナ４０の被接着側テープ１１２が係合して幅方向の移動を規制する凹凸形状のウェイブ部７０が設けられている。折り返しバー６０は棒状部材で、３箇所の被接着側テープ１１２に対応して、３箇所に凹部となる小径部６１が設けられている。小径部６１の両側は徐々に大径となる傾斜面６２となっており、この傾斜面６２を介して大径部６３につながっている。
【００２７】
次に、本発明の巻取り装置付きバンドの操作手順について、図１を参照して説明する。
すなわち、第１，第２切替操作機構４０，５０の組み合わせによって、一つの巻取り装置でありながら、バンド１０を引き出し，引き込み共にロックする動作モードと（図１（Ａ）参照）、バンド１０を引き出し可能で、引き込み不能とする動作モードと（図１（Ｂ）参照）、バンド１０を引き出し不能で、引き込み可能とする動作モードと（図１（Ｃ）参照）、ハンド１０を引き出し，引き込み共に可能とする動作モード（図１（Ｄ）参照）の４つの動作モードを選択することができる。図中、点線矢印は引き出し方向、実線矢印は引き込み方向である。
たとえば、バンド１０を巻取り装置２０から引き出す際には、図１（Ｄ）の第１切替操作機構４０及び第２切替操作機構５０をフリー状態として所定長さだけ引き出す。このとき、第２切替操作機構５０について動作状態に切り替えておけば（図１（Ｂ）参照）、オートリターン機構３０の付勢力が作用していても、引き出した状態を維持しつつ引き出すことができるので、引き出し作業が容易である。
【００２８】
荷物に巻き付けて締め付ける際には、第１切替操作機構４０及び第２切替操作機構５０の両方を動作状態に切替え（図１（Ａ）参照）、バンド先端部を折り返しバー６０に引っ掛けて折り返し、所定の締付け力で締め付け固定できる。したがって、バンド１０の全長内であれば、任意の周長の品物を固定できる。
また、使用後は、図１（Ｄ）に示すように、第１，第２切替操作機構４０，５０をフリー状態に切り替えれば、バンド１０はオートリターン機構３０によって巻取り装置２０内に自動的に引き込まれる。このとき、図１（Ｃ）に示すように、第１切替操作機構４０について動作状態に切り替えておけば、不用意に引き出されることを防止することができる。
以上の点から、荷役装置の一部として手軽，簡単に使用でき、作業効率の向上を図ることができる。
【００２９】
次に本発明の実施例２について説明する。
以下の説明では、上記実施例１と異なる部分についてのみ説明するものとし、同一の構成部分については同一の符号を付し、説明を省略するものとする。
図６乃至９は本発明の実施例２に係る巻取り装置付きバンドを示すものである。２０１は巻取り装置付きバンド全体を示すもので、この巻取り装置付きバンド２０１も、バンド２１０と、このバンド２１０を引き出し，引き込み自在に収納する巻取り装置２２０とを備えた構成となっている。
巻取り装置２２０は、バンド２１０に常時引き込み方向にテンションを付与するオートリターン機構３０と、バンド２１０の引き出しを阻止し引き込みを可能とする第１動作状態とバンド２１０の引き出し及び引き込みを自由とするフリー状態とを切り替え可能とする第１切替操作機構２４０とを備えている。
【００３０】
バンド２１０は、図に示すように、一端がオートリターン機構３０のバンド軸３１に固定されるが、引き出したバンドは、実施例１と異なり、折り返して締め付ける構成ではなく、バンド２１０には面状ファスナは設けられていない。
このバンド２１０は、繰り返し使用可能な可撓性の長尺帯であって、曲げ変形自在のバンド２１０の長手方向の一端は、オートリターン機構３０のバンド軸３１に固定され、他端にはつなぎ部材２１２を介して先端プレート２１３が連結されており、荷物に巻き掛けたバンドの先端プレート２１３を荷台のフック等に引っ掛けることによって、荷物を押さえる構成となっている。
【００３１】
バンド本体２１４は、ナイロン，ポリエステル等の高強度繊維の織布で構成される長尺の平バンドで、全長に亘って一定の幅に成形されている。バンド本体２１４は、長手方向に若干の伸縮はするものの、基本的には伸縮性は無い。しかし、曲げ方向に対しては自由に変形し、荷物の形状に倣って巻付け可能である。
【００３２】
バンド本体２１４のバンド軸３１に固定される固定端部２１５は、たとえばポリプロピレン等の複数の樹脂バンド２１６が取り付けられ、この樹脂バンド２１６を介してバンド軸２３１に固定されている。樹脂バンド２１６はバンド軸２３１の外周形状に合わせて四角形状に折曲された軸嵌合部２６１と、バンド本体２１４に固定される取付片部２６２とから構成されている。樹脂バンド２１６の数は任意であるが、この例では３箇所に設けられている。軸嵌合部２６１がバンド軸２３１に合致した四角形状なので、バンド軸２３１に空転しない。また、バンド軸２３１の空転を防止するために、ネジなどによってバンド軸２３１に固定される押さえ板２１７によって軸嵌合部２６１が押さえられている。
また、バンド本体２１４の固定端部は、端末が折り返されると共に、折り返された頂点部に、ポリプロピレン等の樹脂片等からなる芯材２５１が包み込まれて縫いつけられている。また、この布地が二重に補強された折り返し部に樹脂バンド２１６の取付片部２６２が縫い付け固定されている。心材２５１は、ポリプロピレン等の樹脂バンド２１６の他に、ポリアセタール等の硬質の樹脂材、あるいはアルミ材等の高剛性の部材によって構成してもよい。
【００３３】
先端プレート２１３は、ポリアセタール等の硬質の樹脂材、あるいはアルミ材等の高剛性の部材によって構成される。高剛性の部材であれば棒状部材でもよいが、この実施例では、つなぎ部材２１２が挿通される２箇所の長穴を持つ平板状のプレートで、先端プレート２１３の長さをバンド本体２１４の幅と同じに設定されている。もっとも、実施例１のように、先端プレート２１３の長さ（バンド本体２１４の幅方向の長さ）を、バンド本体２１４の幅よりも短く設定してもよいし、場合によっては長くしてもよい。
つなぎ部材２１２も固定端部と同様のポリプロピレン等の樹脂バンドによって構成されるもので、二つ折りにして先端プレート２１３の長穴に通し、端末をバンド本体２１４の先端部を挟むようにして縫いつけ固定される。このバンド本体２１４の先端部も折り返され、折り返された頂点部分に部分にバンド本体２１４の長さ方向に対して直交方向に芯材２９１が包み込まれるようにして縫いつけられている。また、この布地が二重に補強された折り返し部に、つなぎ部材２１２の端末部が縫い付け固定されている。心材２９１は、ポリアセタール等の硬質の樹脂材、あるいはアルミ材等の高剛性の部材によって構成される。
【００３４】
オートリターン機構３０は、装置本体２２１に回転自在に支持されたバンド軸２３１と、バンド軸２３１に対してバンド２１０を常時引き込む方向にテンションを加えるテンション付与機構２３２と、を備えている。
装置本体２２１は、左右一対のエンドプレート２２２Ａ，２２２Ｂと、エンドプレート２２２Ａ，２２２Ｂ間を連結するメインシャフト２２３と、一対のガイドシャフト２２４，２２４と、から構成されている。
エンドプレート２２２Ａ，２２２Ｂは、プレート本体部２２５と、プレート本体部２２５を荷台２７０に固定するためのクランプ部２２６とが設けられている。
プレート本体部２２５にはメインシャフト２２３の端部がネジ止めされ、このメインシャフト２２３を挟んで長手方向一端側に一対のガイドシャフト２２４，２２４の端部が２点でネジ止めされ、長手方向他端側にクランプ部２２６が設けられている。
【００３５】
クランプ部２２６は略コ字形状で、プレート本体２２５の下端に沿って延びる受け部２２６ａと、受け部２２６ａと所定間隔を隔てて互いに対向する顎部２２６ｂと、受け部２２６ａと顎部２２６ｂの一端を連結する連結部２２６ｃとから構成されている。この顎部２２６ｂに締付け部材２２７がねじ込まれている。締付け部材２２７は、顎部２２６ｂにねじ込まれるネジ部２２７ａと、ネジ部２２７ａの先端に設けられ荷台２７０を押さえる押さえ部２２７ｂとから構成されている。この締付け部材２２７と受け部２２６ａとの間で荷台２７０の上下面を挟み、締付け部材２２７をねじ込むことで、荷台２７０に固定する構成となっている。
【００３６】
バンド軸２３１は内周が断面四角形状の中空軸で、その両端開口部に第１パイプホルダ３３と第２パイプホルダ２３４が固定されている。バンド軸２３１の第１，第２パイプホルダ２３３，２３４にはメインシャフト２２３が回転摺動自在に挿通されるメインシャフト穴が設けられ、第１，第２パイプホルダ２３３，２３４を介して、バンド軸２３１がメインシャフト２２３に回転自在に支持されている。メインシャフト２２３には第１パイプホルダ２３３及び第２パイプホルダ２３４に対して軸方向に摺動自在に接触してバンド軸２３１の軸方向の位置決めをするシャフトガイド２３４が固定されている。  
【００３７】
テンション付与機構２３２は、上記実施例１と同一なので、同一の構成部分については同一の符号を付して説明を省略する。
第１切替操作機構２４０は、本実施例では、左右のエンドプレートの両方に設けられている。左右のエンドプレートのいずれも同じ構成なので、一方の機構についてのみ説明する。すなわち、この第１切替操作機構２４０は、バンドの端末が固定されるバンド軸３１に連結されるラチェット２４１と、装置本体のエンドプレートに揺動自在に支持され前記ラチェット２４１に係合，離脱可能な爪２４３を備えた操作レバー２４２と、を備えた構成となっている。ラチェット２４１と操作レバー２４２は、エンドプレートの内側面に配置されている。
【００３８】
左右の操作レバー２４２の自由端部はハンドルバー２４６によって連結されており、ハンドルバー２４６によって左右の操作レバー２４２が同時に操作される。
操作レバー２４２は、一端がエンドプレート２２２Ａ，２２２Ｂに設けられた枢支部２４４に所定角度分だけ揺動自在に支持され、ラチェット２４１に係合するロック位置とラチェット２４１から離脱するロック開放位置間を移動する構成となっている。そして、操作レバー２４２には、ロック位置とロック開放位置間に思案点を有するように、操作レバー２４２に付勢力を加えるスプリング２４５が装着されている。このスプリング２４５は、その一端が操作レバー２４２に引っ掛けられ、他端がエンドプレート２２２Ａに設けられたばね受け２４６に引っ掛けられている。
【００３９】
さらに、この実施例２では、バンドの先端プレート２１３を引っ掛けるフックブラケット３００がアタッチメントとして用意されている。
フックブラケット３００は、基板３１１の一端から直角に折曲されたフック片３１２を備えたＬ字形状のフック本体３１０と、フック本体３１３とスポット溶接される略Ｚ字形状のクランプ部材３２０とから構成される。クランプ部材３２０は、フック本体３１３の基板３１１のフック片３１２側の領域にスポット溶接される固定片３２１と、固定片３２１の一端から直角に折曲されフック片３１２と所定間隔を隔てて対向する連結片３２２と、連結片３２２の反固定片側の端から固定片３２１と反対側に直角に折曲されてフック本体３１３の基板３１１の反フック片側端部と対向するクランプ片部３２２と、を備えた構成となっている。
【００４０】
クランプ片部３２２には、締付け部材３３０がねじ込まれている。締付け部材３３０は、クランプ片部３２２にねじ込まれるネジ部３３１と、ネジ部３３１の先端に設けられ荷台を押さえる押さえ部３３２とから構成されている。押さえ部３３２にはＶ字状の斜面を備えたパイプクランプ３３３が設けられ、締付け部材３３０とフック本体３１３の基板３１１の受け部３１２との間で荷台２７０のパイプ２７１を上下から挟み、ネジ部３３１をねじ込むことで強固に固定する構成となっている。
【００４１】
次に、この実施例２の巻取り装置付きバンドの使用例を説明する。
図９に示すように、巻取り装置について、各エンドプレート２２２Ａ，２２２Ｂのクランプ部２２６を荷台２７０の縁に固定する。一方、荷台２７０の反端側の縁に位置するパイプ２７１にフックブラケット３００を固定しておく。
そして、巻取り装置２２０の一対のガイドシャフトの間からバンド２１０を引き出す。バンド２１０を引き出す際には、第１切替操作機構２４０をフリー状態として所定長さだけ引き出し、不図示の荷台２７０上の荷物に巻き掛け、先端プレートをフックブラケット３００のフック本体に引っ掛ける。手を離すと、オートリターン機構の張力によってバンド２１０が荷物に密着している。
この状態で、第１切替操作機構２４０のハンドルバーを操作してロックを解除し、バンドを引き出して先端プレートをフックブラケットから外す。外されたバンド２１０は、オートリターン機構２３０の付勢力によって自動的に巻取り装置２２０内に引き込まれる。
【００４２】
なお、上記実施例１についても、面状ファスナを使用してバンドを締め付けないで、実施例２と同様の荷物の巻き掛け方法を適用できる。その場合には、面状ファスナの無いバンドを使用するようにしてもよく、折り返し部材は必要無い。
また、実施例２のような第１切替操作機構２４０のみを有する巻取り装置であっても、面状ファスナを有するバンドを使用し、実施例１のような折り返し部材を取り付けることによって、締付ける構成とすることもできる。
【図面の簡単な説明】
【００４３】
【図１】図１（Ａ）乃至（Ｄ）は本発明の実施例１に係る巻取り装置付きバンドの第１，第２切替操作機構の組み合わせの説明図である。
【図２】図２は図１の切替操作機構が適用される巻取り装置付きバンドの巻取り装置の全体構成を示すもので、同図（Ａ）は一部断面正面図、同図（Ｂ）は同図（Ａ）の右側面図である。
【図３】図３（Ａ）は図２（Ａ）の折り返し部材を省略して示す左側面図、同図（Ｂ）は同図（Ａ）の上面図、同図（Ｃ）は同図（Ａ）の下面図、同図（Ｄ）は（Ｂ）のラチェットと操作レバーの係合状態を示す図、同図（Ｅ）は（Ｃ）のラチェットと操作レバーの係合状態を示す図、同図（Ｆ）は（Ａ）の中間部分の横断面図である。
【図４】図４は図２の巻取装置のバンド軸部分における一部破断分解図である。
【図５】図５は図２の巻取り装置に取り付けられるバンドの一例を示す一部破断概略正面図である。
【図６】図６（Ａ）は本発明の実施例２に係る巻取り装置付きバンドの巻取り装置の一部破断概略正面図、同図（Ｂ）は同図（Ａ）のパイプホルダの部分で切断した断面図、図（Ｃ）は同図（Ａ）の第１切替操作機構の一例を示す図、同図（Ｄ）は同図（Ａ）のバンド軸部分の横断面図である。
【図７】図７はバンド構成例を示す一部破断概略正面図である。
【図８】図８（Ａ）は図６の装置をは図６の装置の正面図、同図（Ｂ）は同図（Ａ）の上面図、同図（Ｃ）は同図（Ａ）の左側面図、同図（Ｄ）は同図（Ａ）の右側面図である。
【図９】図９（Ａ）は図７の装置の使用例を示す図、同図（Ｂ）は同図（Ａ）のフックの側面図である。
【符号の説明】
【００４４】
１  巻取り装置付きバンド
１０  バンド
１１  面状ファスナ
１１１  接着側テープ
１１１ａ，１１ｂ  テープ
１１２  被接着側テープ
１１２ａ，１１２ｂ，１１２ｃ  テープ
１２  つなぎ部材
１３  先端プレート
１４  バンド本体
１５  固定端部
１５１  芯材、１５２  折り返し部
１６  樹脂バンド
１６１  軸嵌合部、１６２  取付片部
１７  押さえ板
１９  先端部
１９１  芯材、１９２  折り返し部
２０  巻取り装置
２１  装置本体
２２Ａ  第１エンドプレート
２２Ｂ  第２エンドプレート
２３  メインシャフト
２４  ガイド板
３０  オートリターン機構
３１  バンド軸
３２  テンション付与機構
３３  第１パイプホルダ
３４  第２パイプホルダ
３５  シャフトホルダ
３６  コイルスプリング
３７  移動スプリングホルダ
３７１  スプリング嵌着部、３７２  回り止め部
３８  固定スプリングホルダ
４０  第１切替操作機構
４１  ラチェット
４２  操作レバー、４２ａ  爪
４３  つまみ部
４４  枢支部
４６  ばね受け
４７  長穴
５０  第２切替操作機構
５１  ラチェット
５２  操作レバー、５２ａ  爪
５３  つまみ部
５４  枢支部
５５  スプリング
５７  長穴
６０  折り返しバー（折り返し部材）
６１  小径部、６２  傾斜面、６３  大径部
２０１  巻取り装置付きバンド
２１０  バンド
２１２  つなぎ部材
２１３  先端プレート
２１４  バンド本体
２１５  固定端部
２５１  芯材、２５２  折り返し部
２１６  樹脂バンド
２６１  軸嵌合部、２６２  取付片部
２１７  押さえ板
２１９  先端部
２９１  芯材、２９２  折り返し部
２２０  巻取り装置
２２１  装置本体
２２２Ａ，２２２Ｂ  エンドプレート
２２３  メインシャフト
２２４  ガイドシャフト
２２５  プレート本体部
２２６  クランプ部
２２６ａ  受け部、２２６ｂ  顎部、２２６ｃ  連結部
２２７  締付け部材
２２７ａ  ネジ部
２３０  オートリターン機構
２４０  第１切替操作機構
２４１  ラチェット
２４２  操作レバー、２４２ａ  爪
２４３  つまみ部
２４４  枢支部
２４６  ばね受け
２４７  長穴
２７０  荷台
２２７ｂ  押さえ部
３００  フックブラケット
３１０  フック本体
３１１  基板、３１２  フック片
３２０  クランプ部材
３２１  固定片、３２２  連結片、３２３  クランプ片部
３３０  締付け部材
３３１  ネジ部、３３２  押さえ部、３３３  パイプクランプ
【図１】
2009035328.tif 000003
【図２】
2009035328.tif 000004
【図３】
2009035328.tif 000005
【図４】
2009035328.tif 000006
【図５】
2009035328.tif 000007
【図６】
2009035328.tif 000008
【図７】
2009035328.tif 000009
【図８】
2009035328.tif 000010
【図９】
2009035328.tif 000011